(57)【要約】【課題】本願発明の主な目的は、支持部への装着の後、メンテナンス及び修理のために、容易に外すことが可能であり、且つ元の整合状態で前記支持部に再装着することが可能となるクランプオン式測定装置を提供する。【解決手段】本発明は、支持部に装着され、少なくとも一つの計器用変成器、該計器用変成器を保持するための保持装置、及び前記支持部に前記保持装置を装着するための固定装置（４）を具備するクランプオン式測定装置において、前記保持装置を、前記支持部に向かって且つ前記支持部から離れる少なくとも一つの所定の方向に移動可能であり且つ旋回軸について旋回可能とするように、前記固定装置（４）に装着可能であるクランプオン式測定装置にある。【選択図】    図１
2007127636.tif 000002
【特許請求の範囲】
【請求項１】
支持部に装着され、少なくとも一つの計器用変成器、該計器用変成器を保持するための保持手段、及び前記支持部に前記保持手段を装着するための固定手段を具備するクランプオン式測定装置において、
前記保持手段を、前記支持部に向かって且つ前記支持部から離れる少なくとも一つの所定の方向に移動可能であり且つ旋回軸について旋回可能とするように、前記固定手段に装着可能であることを特徴とするクランプオン式測定装置。
【請求項２】
前記固定手段への前記保持手段の装着は、保持手段に保持された計器用変成器を、予め支持部に対面する計器用変成器の側面をさらすように、支持部から離れる移動と前記旋回軸を中心とする旋回とを可能にすることを特徴とする請求項１記載のクランプオン式測定装置。
【請求項３】
前記装着は、予め設定された方向に設けられる保持手段及び固定手段の一方に形成される溝と、該溝に噛合する前記保持手段及び前記固定手段の他方に形成される突起とからなり、前記支持部に向かう動作、前記支持部から離れる動作及び前記旋回軸を中心とした保持手段の旋回動作を確保することを特徴とする請求項２記載のクランプオン式測定装置。
【請求項４】
前記固定手段は、前記計器用変成器が、直接前記支持部に接触するように、前記支持部に前記保持手段を装着する少なくとも一つの固着手段を有することを特徴とする請求項１記載のクランプオン式測定装置。
【請求項５】
前記保持手段への前記計器用変成器の保持は、前記支持部への前記保持手段の固定とは別々であることを特徴とする請求項１記載のクランプオン式測定装置。
【請求項６】
前記保持手段への前記計器用変成器の保持は、保持手段が前記支持部から離れる方向又は前記支持部へ向かう方向に移動する時、且つ前記旋回軸を中心とした前記保持手段の旋回動作において、維持されることを特徴とする請求項１記載のクランプオン式測定装置。
【請求項７】
前記固定手段が装着される前記支持部は、流体が流れるパイプであることを特徴とする請求項１記載のクランプオン式測定装置。
【請求項８】
クランプオン測定装置は、クランプオン式流量測定装置であることを特徴とする請求項７記載のクランプオン式測定装置。
【請求項９】
クランプオン流量測定装置は、クランプオン式超音波流量測定装置であることを特徴とする請求項８記載のクランプオン式測定装置。
【請求項１０】
少なくとも一つの計器用変成器は、前記パイプに直接的に接触するように移動可能な少なくとも一つの超音波変換器であることを特徴とする請求項９記載のクランプオン式測定装置。
【請求項１１】
前記少なくとも一つの超音波変換器は、前記保手段に保持され、前記パイプに直接接触するように移動可能であり、前記パイプの長手軸に平行な整合軸上で、お互いに所定の間隔で配置される２つの超音波変換器からなり、前記超音波変換器の少なくとも一つは、前記整合軸に沿って前記保持手段の範囲内で移動可能であることを特徴とする請求項１０記載のクランプオン式測定装置。
【請求項１２】
前記旋回軸は、前記保持手段の動作方向に垂直に、前記保持手段の長手軸に平行に延出することを特徴とする請求項１記載のクランプオン式測定装置。
【発明の詳細な説明】
【技術分野】
【０００１】
本願発明は、支持部への装着に関して、少なくとも一つの計器用変成器、この計器用変成器を保持するために保持手段及び前記支持部に前記保持手段を装着するための固着手段を有するクランプオン式測定装置に関する。
【背景技術】
【０００２】
クランプオン式流量測定装置のようなクランプオン式測定装置は、特に簡単に使用されることに特徴がある。パイプラインの一部を装置と取り替えることによって、現存するパイプラインに永続的に一体化される他の流量測定装置と比較して、クランプオン式流量測定装置は、適当なパイプ部分に外側から簡単に配置することができる。クランプオン式測定装置が装着されるパイプ部は、これによって、パイプラインシステムに独立した測定パイプを挿入する必要性なしに、多かれ少なかれ測定パイプとなる。これは、クランプオン式流量測定装置の使用を簡単且つ経済的にする。
【０００３】
しかしながら、クランプオン式超音波流量測定装置のようなクランプオン式測定装置に関する課題は、パイプラインへの測定装置の正確な装着であり、特に、超音波流量測定装置において、一般的に、チューブの長手方向においてお互いに所定の間隔で配される２つの超音波変換器によって形成される計器用変成器の正確な配置及び整合性に関するものである。パイプへのクランプオン式超音波流量測定装置の最初の装着において対応する課題に加えて、正しく配置され、整合された測定装置に関してすら、前記計器用変成器が、例えばメンテナンスのために、パイプから取り外されなければ成らない時に、この状態が再び失われるという課題を有する。それらが、メンテナンス及び修理のために、それらが装着された支持部から取り外され、作業後に、パイプに再装着されなければならないときに、他のクランプオン式測定装置において、同様に対応する課題が生じる。
【特許文献１】特開２０００−４６６０７号公報
【特許文献２】特開２００３−７５２１９号公報
【特許文献３】特開２００３−２６２５４５号公報
【発明の開示】
【発明が解決しようとする課題】
【０００４】
これによって、本願発明の主な目的は、支持部への装着の後、メンテナンス及び修理のために、容易に外すことが可能であり、且つ元の整合状態で前記支持部に再装着することが可能となるクランプオン式測定装置を提供することにある。
【課題を解決するための手段】
【０００５】
最初に記載されたクランプオン式測定装置から進んで、この目的は、保持手段が、少なくとも一つの予め設定された支持部から離れる方向又は支持部に向かう方向に移動可能であり、旋回軸に沿って旋回することが可能であるように、保持手段が前記固着手段に装着されることにおいて達成される。
【０００６】
それゆえに、本願発明によれば、保持手段は、２つの動作、特に支持部から保持手段を取り外すために支持部から離れる動作、及び保持手段を支持部に再装着するために支持部に対して接近する動作を行う。全体的に見て、これは、結果として、支持部に面し、任意に前記クランプオン式測定装置の動作において前記支持部に直接的に接触する保持手段の側面が、動かされやすいことを生じる。この方法において、修理及びメンテナンス作業は、保持手段の低い側から実行することができる。
【０００７】
本願発明の好ましい例によれば、保持手段及び固着手段が配置され、計器用変成器が、旋回軸を中心とする保持手段の旋回運動と結合される支持部から離れる方向に保持手段を動かすことによって、保持部と面する計器用変成器の側面が予め移動可能となるように、前記保持手段に保持されることが提供される。クランプオン式超音波流量測定装置について、この方法において、例えば超音波変換器は、計器用変成器としての超音波変換器からパイプへ、パイプから超音波変換器への良好な状態を確保するために、流体に接触する。
【０００８】
基本的に、旋回軸は、異なる方向に向いており、特にその軸は、前記支持部から離れる動作の予め定められた方向に平行である。しかしながら、本願発明の好ましい発展例によれば、旋回軸は、前記予め設定された方向に対して所定の角度で、好ましくは特にそれに垂直であり、特別には、保持手段の長手方向に平行であることが提供される。
【０００９】
保持手段の前述した２つの動作は、異なる方法において実行される。この発明の好ましい発展例によれば、保持手段及び固着手段は、保持手段が支持部から離れる動作及び旋回軸を中心とした保持手段の旋回運動を確保するためにお互いに対応する手段を有する。
【００１０】
本願発明の好ましい発展例によれば、支持部から離れる保持手段の動作及び支持部に向かう保持手段の動作且つ旋回軸を中心とした保持手段の旋回動作を確保するために溝に噛合する保持手段又は固着手段の突起があることが提供される。言い換えると、溝内の突起を移動させることによって、支持部から離れる保持部材の動作及び支持部に向かう保持部材の動作の方法が規定されるように、固着手段又は保持手段に設けられた突起が噛合する溝が、保持手段又は固着手段のいずれかに設けられる。
【００１１】
基本的に、保持手段は、種々の異なる方法で、支持部に装着される。この発明の好ましい発展例によれば、保持手段を装着するための固着手段は、前記計器用変成器が支持部に直接接触するように、前記支持部に保持手段を装着する少なくとも一つの固定手段を有する。本願発明の好ましい発展例によれば、前記固定手段は、例えばネジ又は１／４回転留め具である。
【００１２】
基本的に、前記保持手段の支持部への固着が保持手段における計器用変成器の保持とリンクするように、保持手段に計器用変成器を保持すること及び支持部への保持手段の装着を設けることが可能である。本願発明の好ましい発展例によれば、保持手段における計器用変成器の保持は、保持手段のキャリヤへの固着とは別に行われる。この方法において、特に、計器用変成器の維持及びそれによる整合性を失うことなしに、支持部から保持手段を取り外すことが可能となる。結果として、本願発明にこの特徴に対して、保持手段への計器用変成器の保持は、保持手段が支持部から離れるように動くとき、又は保持手段が支持部に向かって動くとき、又は旋回軸を中心とする保持手段の旋回運動において、維持される。
【００１３】
さらに、本願発明は、種々のタイプのクランプオン式測定装置に用いることが可能である。しかしながら、本願発明の好ましい発展例によれば、クランプオン式測定装置は、クランプオン式流量測定装置であり、クランプオン式超音波流量測定装置であることが好ましい。
【００１４】
特にクランプオン式超音波流量測定装置において、上述した利点は、装着される計器用変成器、特に超音波変換器を有する保持手段が、制御された方法において前記測定チューブから取り外され、別の方法でパイプと対峙する超音波変換器の側面が移動可能となるように旋回可能であることを得るので、それらは、例えば接触流体を有する。それから、前記保持手段をパイプ側に戻すように移動させることによって、前記超音波変換器は、超音波信号が超音波変換器からパイプへの最適な状態、及びパイプから超音波変換器への最適な状態が保証される。
【００１５】
本願発明の好ましい発展例によればクランプオン式超音波流量測定装置において、保持手段によって保持され、パイプに直接接触するように移動され、且つパイプの長手方向に平行な直線軸で、お互いに所定の間隔で配置される２つの超音波変換器が設けられ、超音波変換器の少なくとも一つは、前記直線軸に沿って前記保持手段内を移動するものである。超音波変換器のこの動作能力は、超音波変換器が、それを移動させるために保持手段内に取り外され、その後、超音波変換器のお互いに且つパイプと相対的な得られた方向及び整合性が達成されるように、再び装着されるようにするものである。
【００１６】
特に、本願発明に係るクランプオン式測定装置を具体化し且つ発展させる主な可能性がある。図面を伴って、より好ましい発明の下記する詳細な説明を参照するべきである。
【発明を実施するための最良の形態】
【００１７】
以下、この発明の実施例について図面により説明する。
【実施例】
【００１８】
図１は、本願発明の好ましい実施例に係るクランプオン式測定装置を示すものであり、特に図２ａ−２ｄ及び図３ａ−３ｅに示されるパイプ１に装着されるクランプオン式超音波流量測定装置を示すものである。計器用変成器のようなクランプオン式超音波流量測定装置は、２つの超音波変換器２、超音波変換器２を保持するための保持手段である超音波ガイドフレーム３、及び前記パイプ１へのガイドフレーム３の装着のための２つの固着手段４を有する。
【００１９】
前記固着手段４の各々は、ラチェット手段７にローレットナット６で装着されるベース本体５を有する。特に、図２ａからわかるように、ラチェット手段７の各々は、パイプ１に装着される装着ストラップ８を有する。
【００２０】
ガイドフレーム３は、パイプ１に装着される固着手段４に装着されるように作製されている。これを達成するために、固着手段４のベース本体５には、ガイドフレーム３の上部の対応する開口部を貫通するそれぞれのピン９が設けられる。それから、各々の１／４回転留め具１０は、１／４回転留め具において公知であるように、１／４回転留め具１０のピン９上の回転によって、ガイドフレーム３が固着手段４に固定されるように、ガイドフレーム３を貫通して突出するピン９に配置される。
【００２１】
本願発明の好ましい例によるクランプオン式超音波流量測定装置に関して、ハウジング１１は、パイプ１に装着された全ての手段を覆う。ハウジング１１の側面は、凹部１２を有し、ガイドフレーム３は、電気的供給リード１４が、凹部１２及び孔１３を貫通して超音波変換器２に接続されるように、歪み開放装置１５によって孔１３に固定されるように、対応する側面に孔１３を有する。
【００２２】
超音波変換器２は、クランプ保持器を介してガイドプレ３内に保持される。これは、超音波変換器２が、簡単に動くことができないように、ガイドフレーム３の長手側表面間に固定されるクランプに、それらの側面表面が着座することによって、前記ガイドフレーム３に装着されることを意味する。しかしながら、２つの超音波変換器２について、ハウジング１１がパイプ１から取り外された時、その長手方向において、ガイドフレーム３の外側からのクランプ力に対して押圧される調節手段１６が設けられる。この方法において、ここで記載される本発明の好ましい例によればクランプオン式超音波流量測定装置の装着において、お互いに相対的な超音波変換器２の最適位置が固定され、特に、パイプ１の他の側に影響する超音波信号によって、一つの超音波変換器２から他の超音波変換器２への最適な伝達が確保される。
【００２３】
パイプ１へ本発明の好ましい実施例に係るクランプオン式超音波流量測定装置を装着するために、下記する手順が実行される。
【００２４】
図２ａで示されるように、ラチェット手段７の第１のものは、装着ストラップ８の一つによってパイプ１に装着される。それから、残りの装着ストラップ８及びクランプオン式超音波流量測定装置、ハウジング１１の他のものと共にガイドフレーム３は、ラチェット手段７に配置される。直角締めファスナー１０を離すことによって、ガイドフレーム３は、上述したように、超音波変換器２の一つが調節装置１６によって押圧されるのでパイプ１から持ち上げられ、２つの超音波変換器２のお互いに最適な距離を設定できるものである。直角締めファスナーを固定することによって、その後、ガイドフレーム３は、超音波変換器２がパイプ１に直接接触するように、パイプ１に固定されるようにふたたび押圧される。
【００２５】
超音波変換器２からパイプ１への超音波信号の最良の状態を確保するために、接触流体は、パイプ１とこのパイプ１に対面する超音波変換器２の側面との間に前もって加えられる。好ましい例によるクランプオン式超音波流量測定装置を保護するために、最終的にハウジング１１が装着される。これによって、クランプオン式超音波流量測定装置は、操作の準備が完了する。
【００２６】
特に、メンテナンスを目的として、超音波変換器２とパイプ１の外側との間の接触流体を新しくするために、パイプ１と対面する超音波変換器２の表面は、特に超音波変換器の位置合わせの影響なしに、容易に動作可能である。これを行うために、図３ａ〜３ｅから明らかなように、最初に、ハウジング１がクランプオン式超音波流量測定装置から取り外される。それから、１／４回転留め具が、ガイドフレーム３が、固定手段４に対して相対的に移動されるように外される。長手方向に平行でパイプ１から離れる保持手段３の動作に垂直な旋回軸を中心としたガイドフレーム３の旋回運動と連動したパイプ１から離れるガイドフレーム３の移動は、下記するように可能となる。
【００２７】
図１から明らかなように、前記固定手段４のベース本体５のそれぞれの外側面には、パイプ１に対して径方向と外側に形成されるそれぞれの溝１７が設けられる。これらの溝１７において、それぞれの突起１８が噛合する。それぞれの突起１８は、前記ガイドフレーム３の端部表面の内側に設けられる。この方法において、図３ｃ及び３ｄからわかるように、ガイドフレーム３は、パイプ１から離れる又はそれに向かう径方向に移動し、且つ突起１８の円形形状に基づいて、ガイドフレーム３の旋回運動を可能にする。ガイドフレーム３を持ち上げ旋回させることによって、超音波変換器２の下面は、接触流体が新しくされるように移動可能となり、良好のＳＮ比を有するクランプオン式超音波流量測定装置の確実な動作を確保することができるものである。
【図面の簡単な説明】
【００２８】
【図１】図１は、本願発明の好ましい例によるクランプオン式測定装置の分解斜視図である。
【図２】図２ａ−２ｄは、本願発明の好ましい例によれば、クランプオン式測定装置の装着方法を概略的に示した概略斜視図である。
【図３】図３ａ−３ｅは、メンテナンスのための本願発明の好ましい例によるクランプオン式測定装置の保持手段の取り外しを示した愛略斜視図である。
【符号の説明】
【００２９】
１  パイプ
２  超音波変換器
３  保持手段
４  固定手段
５  ベース本体
６  刻み付ナット
７  ラチェット手段
８  装着ストラップ
９  ピン
１０  １／４回転留め具
１１  ハウジング
１２  凹部
１３  孔
１４  電気供給リード
１５  歪み開放装置
１６  調節手段
１７  溝
１８  突起
【図１】
2007127636.tif 000003
【図２】
2007127636.tif 000004
【図３】
2007127636.tif 000005